(57)【要約】      （修正有）【課題】指でかける力の利用効率を高めるマウスを提供する。【解決手段】ケース１０と、ケース１０内に装設される回路基板２０と、１つ以上のボタン４０と、１つ以上の電子スイッチ３０とを備える。ボタン４０はケース１０に設置され、電子スイッチ３０はボタン４０に対応するようにケース１０内の回路基板２０に設置され、且つ回路基板２０に電気的に接続され、電子スイッチ３０のスイッチ可動方向はボタン４０の頂部の接線方向に対して垂直となる。上述するように、本考案に係るマウス１００の電子スイッチ３０のスイッチ可動方向及びボタン４０の頂部の接線方向は垂直となるため、指での押圧作用力の方向及び電子スイッチ３０のスイッチ可動方向が一致する。これにより使用者が指で押圧する力が電子スイッチ３０に効率的に伝達され、指でかける力の利用効率が高まる。【選択図】図２
0003213504.tif 000002
【実用新案登録請求の範囲】
【請求項１】
ケースと、
前記ケース内に装設される回路基板と、
前記ケースに設置される１つ以上のボタンと、
前記ボタンに対応するように前記ケース内の前記回路基板に設置され、且つ前記回路基板電に接続され、スイッチ可動方向は前記ボタンの頂部の接線方向に対して垂直になる１つ以上の電子スイッチとを備えることを特徴とするマウス。
【請求項２】
前記ボタンに対応するように設置され、且つ前記回路基板に装設される１つ以上の収納台座を更に備え、前記収納台座には収容空間が開設され、前記電子スイッチは前記収納台座の前記収容空間内に装設されて、前記収納台座の前記収容空間は前記回路基板に対して傾斜角度を有し、前記傾斜角度は前記ボタンを指で押す押圧方向に対して垂直となり、これにより、前記ボタンが押されると、押圧作用力の方向及び前記電子スイッチのスイッチ可動方向が一致することを特徴とする、請求項１に記載のマウス。
【請求項３】
前記電子スイッチ及び前記収納台座は相互係合方式で固定されることを特徴とする、請求項２に記載のマウス。
【請求項４】
前記電子スイッチの底部には係合部が設置され、前記収納台座の前記収容空間の内壁には前記係合部に相互に対応するように係合される係合溝が設けられることを特徴とする、請求項３に記載のマウス。
【請求項５】
前記電子スイッチの下表面には前記回路基板に電気的に接続される電気ピンを有し、前記収納台座の底部には前記収容空間に連通される穿設溝が開設され、前記電気ピンは前記穿設溝を貫通させて前記回路基板に電気的に接続されることを特徴とする、請求項２に記載のマウス。
【請求項６】
前記穿設溝は漏斗状を呈することを特徴とする、請求項５に記載のマウス。
【請求項７】
前記収納台座は係合または螺合方式により前記回路基板に装設されることを特徴とする、請求項２に記載のマウス。
【請求項８】
前記回路基板には複数のスルーホールが開設され、前記収納台座の底部には複数のラッチまたはフックが設置され、前記ラッチまたは前記フックは前記スルーホールに進入させると共に前記スルーホールに固装され、これにより前記収納台座が前記回路基板に固定されることを特徴とする、請求項７に記載のマウス。
【考案の詳細な説明】
【技術分野】
【０００１】
本考案は、マウスに関し、更に詳しくは、指でかける力の利用効率を高めるマウスに関する。
【背景技術】
【０００２】
マウスは座標を入力したり、オブジェクトをクリックしたり、ページをめくる等の操作に使用される。図１を参照すると、従来のマウス２００'はケース１１'と、ケース１１'に内設される回路基板１２'と、回路基板１２'に電気的に接続されるように固定される１つ以上の電子スイッチ１３'と、ケース１１'に設置される１つ以上のボタン１４'とを備える。ボタン１４'は電子スイッチ１３'に対応するように設置される。使用者は前記マウス２００'を操作する場合、一般的にはケース１１'の頂部１１１'に手を載せるか被せるかし、指（例えば、人差し指及び中指の先）でボタン１４'を押すと、ボタン１４'により電子スイッチ１３'が押されて起動する。マウス２００'のケース１１'の頂部１１１'が曲面状を呈しているため、実際に操作する際に、指が慣性的にボタン１４'の頂部の接線方向に対して垂直に力をかける。
【考案の概要】
【考案が解決しようとする課題】
【０００３】
ところが、前述した従来のマウス２００'は、すなわち、従来のマウス２００'の電子スイッチ１３'の装設方向は全て回路基板１２'に対して垂直となり、指で圧下することでかかる力の方向及び電子スイッチ１３'が下に押される際の力の方向の間には角度ができ、実際には電子スイッチ１３'を圧下させる力は指でかける力よりも小さくなる。このような従来のマウス２００'をゲームや競技用のマウスに応用する場合、指で押す力の利用効率がゲームの勝敗を左右する。このため、力の利用効率を高めるマウスを開発する必要がある。  
【０００４】
そこで、本考案者は、鋭意研究した結果、指でかける力の利用効率を高めるマウスにより、上記目的を達成できることを見出した。  
【０００５】
本考案は、以上の実情に鑑みなされたものであって、上記課題解決のため、本考案は、マウスを提供することを目的とする。すなわち、従来の技術に存在する欠陥及び不足に対して指でかける力の利用効率を高めるマウスを提供する。
【課題を解決するための手段】
【０００６】
上述した課題を解決し、目的を達成するために、本考案に係るマウスは、
ケースと、
前記ケース内に装設される回路基板と、
前記ケースに設置される１つ以上のボタンと、
前記ボタンに対応するように前記ケース内の前記回路基板に設置され、且つ前記回路基板電に接続され、スイッチ可動方向は前記ボタンの頂部の接線方向に対して垂直になる１つ以上の電子スイッチとを備えることを特徴とする。
【考案の効果】
【０００７】
本考案のマウスによれば、マウスの電子スイッチのスイッチ可動方向がボタンの頂部の接線方向に対して垂直となり、指での押圧作用力の方向が電子スイッチのスイッチ可動方向と一致する。これにより、使用者が指で押す力が電子スイッチに効率的に伝達され、指でかける力の利用効率が効果的に高まる。
【図面の簡単な説明】
【０００８】
【図１】ユーザーが従来のマウスを押すときの状況を示す概略図である。
【図２】ユーザーが本考案の好ましい実施形態によるマウスを押すときの状況を示す概略図である。
【図３】ユーザーが本考案の他の実施形態によるマウスを押すときの状況を示す概略図である。
【図４】ユーザーが本考案のさらなる他の実施形態によるマウスを押すときの状況を示す概略図である。
【図５】ユーザーが本考案の又別の実施形態によるマウスを押すときの状況を示す概略図である。
【考案を実施するための形態】
【０００９】
以下に図面を参照して、本考案を実施するための形態について、詳細に説明する。なお、本考案は、以下に説明する実施形態に限定されるものではない。
【実施形態】
【００１０】
以下、本考案の実施形態について、図面を参照しながら説明する。本考案のマウス１００は、ケース１０と、回路基板２０と、１つ以上の電子スイッチ３０と、１つ以上のボタン４０とを備える（図２乃至図５参照）。ボタン４０はケース１０に設置され、回路基板２０はケース１０内に装設され、回路基板２０にはマウス１００の動作に必要な複数の電子素子（図示せず）が設置される。電子スイッチ３０はボタン４０に対応するようにケース１０内の回路基板２０に設置されると共に回路基板２０に電気的に接続され、且つ電子スイッチ３０のスイッチ可動方向はボタン４０の頂部の接線方向に対して垂直となる。使用者が前記マウス１００を操作する場合、手をケース１０の頂部１１１に載せるか被せるかし、且つ指（例えば、人差し指及び中指の先）でボタン４０の頂部を押すと、ボタン４０により電子スイッチ３０が押されて起動する。  
【００１１】
図３に示されるように、具体的に、本考案のマウス１００は、１つ以上の収納台座５０を備え、収納台座５０はボタン４０に対応するように設置され、且つ回路基板２０に装設される。収納台座５０には収容空間５１が開設され、電子スイッチ３０は収納台座５０の収容空間５１内に装設され、収納台座５０の収容空間５１は回路基板２０に対して傾斜角度を有し、前記傾斜角度はボタン４０を指で押す押圧方向に対して垂直となる。これにより、使用者が前記マウス１００を操作する際に、指でボタン４０を押すと、指で押されることにより発生する押圧作用力の方向が電子スイッチ３０のスイッチ可動方向と一致する。  
【００１２】
なお、図４に示されるように、本実施形態において、電子スイッチ３０及び収納台座５０は相互係合方式で固定される。具体的に、電子スイッチ３０の底部には係合部３１が設けられ、収納台座５０の収容空間５１の側壁には係合部３１に相互に対応するように係合される係合溝５１１が設けられる。  
【００１３】
さらに、図５に示されるように、電子スイッチ３０の下表面には回路基板２０に電気的に接続される電気ピン３２を有する。収納台座５０の底部には収容空間５１に連通される穿設溝５２が開設され、穿設溝５２は漏斗状を呈する。電気ピン３２は穿設溝５２を貫通させて回路基板２０に電気的に接続される。  
【００１４】
また、前記収納台座５０は係合または螺合方式により回路基板２０に装設される（図５参照）。具体的に、前記回路基板２０には複数のスルーホール２１が開設され、前記収納台座５０の底部には複数のラッチまたはフック５３が設置され、ラッチまたはフック５３はスルーホール２１に進入させると共にスルーホール２１に固装され、これにより収納台座５０が回路基板２０に固定される。  
【００１５】
上述したように、本考案に係るマウス１００は収納台座５０の収容空間５１が回路基板２０に対して傾斜角度を有することにより、電子スイッチ３０と回路基板２０との間に傾斜角度ができ、前記傾斜角度はボタン４０が指で押される押圧方向に対して垂直となる。使用者が前記マウス１００を操作する場合、手をケース１０の頂部１１１に載せるか被せるかし、且つ指（例えば、人差し指及び中指の先）でボタン４０の頂部を押すと、電子スイッチ３０のスイッチ可動方向がボタン４０の頂部の接線方向に対して垂直となり、これにより指での押圧作用力の方向が電子スイッチ３０のスイッチ可動方向と一致する。こうして使用者が指で押す力が電子スイッチ３０に効率的に伝達され、指でかける力の利用効率が高まる。  
【００１６】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００１７】
１００  マウス
１０  ケース
１１１  頂部
２０  回路基板
２１  スルーホール
３０  電子スイッチ
３１  係合部
３２  電気ピン
４０  ボタン
５０  収納台座
５１  収容空間
５１１  係合溝
５２  穿設溝
５３  フック
【図１】
0003213504.tif 000003
【図２】
0003213504.tif 000004
【図３】
0003213504.tif 000005
【図４】
0003213504.tif 000006
【図５】
0003213504.tif 000007
【手続補正書】
【提出日】平成29年9月14日(2017.9.14)
【手続補正１】
【補正対象書類名】実用新案登録請求の範囲
【補正対象項目名】全文
【補正方法】変更
【補正の内容】
【実用新案登録請求の範囲】
【請求項１】
ケースと、
前記ケース内に装設される回路基板と、
前記ケースに設置される１つ以上のボタンと、
前記ボタンに対応するように前記ケース内の前記回路基板に設置され、且つ前記回路基板に電気的に接続され、スイッチ可動方向は前記ボタンの頂部の接線方向に対して垂直になる１つ以上の電子スイッチとを備えることを特徴とするマウス。
【請求項２】
前記ボタンに対応するように設置され、且つ前記回路基板に装設される１つ以上の収納台座を更に備え、前記収納台座には収容空間が開設され、前記電子スイッチは前記収納台座の前記収容空間内に装設されて、前記収納台座の前記収容空間は前記回路基板に対して傾斜角度を有し、前記傾斜角度は前記ボタンを指で押す押圧方向に対して垂直となり、これにより、前記ボタンが押されると、押圧作用力の方向及び前記電子スイッチのスイッチ可動方向が一致することを特徴とする、請求項１に記載のマウス。
【請求項３】
前記電子スイッチ及び前記収納台座は相互係合方式で固定されることを特徴とする、請求項２に記載のマウス。
【請求項４】
前記電子スイッチの底部には係合部が設置され、前記収納台座の前記収容空間の内壁には前記係合部に相互に対応するように係合される係合溝が設けられることを特徴とする、請求項３に記載のマウス。
【請求項５】
前記電子スイッチの下表面には前記回路基板に電気的に接続される電気ピンを有し、前記収納台座の底部には前記収容空間に連通される穿設溝が開設され、前記電気ピンは前記穿設溝を貫通させて前記回路基板に電気的に接続されることを特徴とする、請求項２に記載のマウス。
【請求項６】
前記穿設溝は漏斗状を呈することを特徴とする、請求項５に記載のマウス。
【請求項７】
前記収納台座は係合または螺合方式により前記回路基板に装設されることを特徴とする、請求項２に記載のマウス。
【請求項８】
前記回路基板には複数のスルーホールが開設され、前記収納台座の底部には複数のラッチまたはフックが設置され、前記ラッチまたは前記フックは前記スルーホールに進入させると共に前記スルーホールに固装され、これにより前記収納台座が前記回路基板に固定されることを特徴とする、請求項７に記載のマウス。